(57)【要約】【課題】乗り越し精算時の精算券の発行と定期券の区間外からの乗車時の乗車券の発行を取りやめることにより、資源の節約を図ることができる【解決手段】自動精算機により乗り越し精算を行う際に、ＳＦカード・定期券の利用時に精算済み情報（特殊コード・ビット）を書き込むことにより、精算券の発行は不要となり、乗車駅にて入場したＳＦカード・定期券を精算して、そのＳＦカード・定期券で出場することにより、ＳＦカード・定期券による乗り越し精算時に、精算券（ロール紙）の発行がなされないようにしたものである。【選択図】      図２
2005128944.tif 000002
【特許請求の範囲】
【請求項１】
交通機関の駅に設置され、精算処理を行う自動精算機において、
精算を行う定期券あるいは金額カードを受け入れる受入手段と、
この受入手段により受け入れた定期券の区間情報あるいは金額カードの乗車情報、残額を読取る読取手段と、
この読取手段により読取った定期券の区間情報あるいは金額カードの乗車情報、残額と、設置駅までの精算金額を演算する演算手段と、
この演算手段による精算金額を現金により精算する精算手段と、
この精算手段による精算処理の後、上記受入手段により受け入れた定期券あるいは金額カードに精算情報を記録して発行する発行手段と、
を具備したことを特徴とする自動精算機。
【請求項２】
交通機関の駅に設置され、乗車券を発行する自動券売機において、
この駅を含まない区間情報を有する定期券を受け入れる受入手段と、
この受入手段により受け入れた定期券の区間情報を読取る読取手段と、
この読取手段により読取った定期券の区間情報と上記設置駅までの乗車金額を演算する演算手段と、
この演算手段による乗車金額を現金により精算する精算手段と、
この精算手段による精算処理の後、上記受入手段により受け入れた定期券に上記乗車金額を記録して発行する発行手段と、
を具備したことを特徴とする自動券売機。
【発明の詳細な説明】
【技術分野】
【０００１】
この発明は、定期券あるいは金額カードによる乗り越し精算を行う自動精算機と定期券の区間外からの乗車時における精算を行う自動券売機に関する。
【背景技術】
【０００２】
従来、自動精算機において定期券あるいは金額カード（ＳＦカード残額不足の場合）による乗り越し精算を行う際、精算券（エドモンソン券）が発行されるようになっている。（特許文献１参照）また、定期券の区間外からの乗車時に券売機によりこの駅から区間内の駅までの乗車券を発行するようになっている。
【０００３】
また、精算処理後、精算券と乗車時の定期券あるいは金額カードが返却され、どれを用いて自動改札機からの出場を行えばよいか迷う場合がある。特に、お年寄りが悩んでいる場面に遭遇したり、まちがって精算券の代りに定期券あるいは金額カードを投入してしまい、ゲートにより止められているケースがある。
【０００４】
また、精算券は出場処理により回収されて廃券として処理される。
【０００５】
また、定期券の区間外からの乗車時に発行される乗車券は入場時に使用された後、出場時には使用されないものとなっている。
【０００６】
したがって、資源の節約の観点から上記のような精算券や乗車券を発行しないものが要望されている。また、精算を行っても入場時と同じ媒体だけで対応でき、複数枚の媒体により、利用客が悩むことのないものも要望されている。
【特許文献１】特開平７−２００８９３号公報
【発明の開示】
【発明が解決しようとする課題】
【０００７】
この発明は、上記事情に鑑みてなされたもので、乗り越し精算時の精算券の発行と定期券の区間外からの乗車時の乗車券の発行を取りやめることにより、資源の節約を図ることができる自動精算機と自動券売機を提供することを目的とする。
【課題を解決するための手段】
【０００８】
この発明の自動精算機は、交通機関の駅に設置され、精算処理を行うものにおいて、精算を行う定期券あるいは金額カードを受け入れる受入手段と、この受入手段により受け入れた定期券の区間情報あるいは金額カードの乗車情報、残額を読取る読取手段と、この読取手段により読取った定期券の区間情報あるいは金額カードの乗車情報、残額と、設置駅までの精算金額を演算する演算手段と、この演算手段による精算金額を現金により精算する精算手段と、この精算手段による精算処理の後、上記受入手段により受け入れた定期券あるいは金額カードに精算情報を記録して発行する発行手段とを有する。
【０００９】
この発明の自動券売機は、交通機関の駅に設置され、乗車券を発行するものにおいて、この駅を含まない区間情報を有する定期券を受け入れる受入手段と、この受入手段により受け入れた定期券の区間情報を読取る読取手段と、この読取手段により読取った定期券の区間情報と上記設置駅までの乗車金額を演算する演算手段と、この演算手段による乗車金額を現金により精算する精算手段と、この精算手段による精算処理の後、上記受入手段により受け入れた定期券に上記乗車金額を記録して発行する発行手段とを有する。
【発明の効果】
【００１０】
以上、詳述したように、この発明によれば、乗り越し精算時の精算券の発行と定期券の区間外からの乗車時の乗車券の発行を取りやめることにより、資源の節約を図ることができる自動精算機と自動券売機を提供できる。
【発明を実施するための最良の形態】
【００１１】
以下、この発明の実施の形態について図面を参照して説明する。  
図１、図２は、この発明の実施の形態に係る駅務システムの概略構成を示すものである。  
すなわち、駅務システムは、種々の駅務機器を有する複数の駅１、…とホストコンピュータ１０からなり、上記各駅１、…とホストコンピュータ１０は基幹ＬＡＮ等によりオンライン接続されている。
【００１２】
上記各駅１、…は、設置されている駅全体を制御し他の駅１、…とホストコンピュータ１０と上記基幹ＬＡＮ等によりオンライン接続されているデータ受信装置としての駅制御装置２と、この駅制御装置２に回線７を介して直接接続される複数台の自動精算機３、…と、複数台の自動券売機４、…と、複数台の自動改札機５、…と、複数台の自動定期券発売機６、…等から構成されている。
【００１３】
上記自動精算機３、…は、乗車券、金額カードとしてのＳＦ（ストアードフェア）カード、定期券に対する精算を行い、乗車券による精算時に自動改札機５を通過できる精算券を発行するものであり、ＳＦカード、定期券による精算時にＳＦカード、定期券に精算情報を記録して返却するものであり、この精算機全体を制御する制御部１１とデータ記憶用のメモリ１２と精算の指示を行う操作部１３と精算処理を行い精算券を発行する精算部１４と回線７を介して駅制御装置２と接続される通信制御部１５と現金処理部１６とカード処理部１７等から構成されている。操作部１３は、タッチパネル内蔵の液晶表示部（ＬＣＤ）によって構成される表示部１３ａを有している。
【００１４】
上記自動券売機４、…は、券売機用の運賃データに基づいて、乗車券等を発行するものであり、この券売機全体を制御する制御部２１とデータ記憶用のメモリ２２と発券の指示を行う操作部２３と発券処理を行い乗車券を発行する発券部２４と回線７を介して駅制御装置２と接続される通信制御部２５と現金処理部２６とカード処理部２７から構成されている。操作部２３は、タッチパネル内蔵の液晶表示部（ＬＣＤ）によって構成される表示部２３ａを有している。また、上記自動券売機４、…は、この自動券売機４の設置駅を含まない区間情報を有する定期券の挿入により、この設置駅から投入された定期券に記録されている区間内の駅までの乗車金額の精算を行い、その精算済み情報を記録して返却するものである。
【００１５】
上記自動改札機５、…は、乗車券や定期券やＳＦカードの投入に伴い入場業務や出場業務の改札処理を行うものであり、この改札機全体を制御する制御部３１とデータ記憶用のメモリ３２と改札処理を行う改札部３３と回線７を介して駅制御装置２と接続される通信制御部３４等から構成されている。
【００１６】
上記自動定期券発売機６、…は、新規定期券、継続定期券の発行を行うものであり、この自動定期券発売機全体を制御する制御部４１とデータ記憶用のメモリ４２と発行の指示を行う操作部４３と発行処理を行う発行部４４と回線７を介して駅制御装置２と接続される通信制御部４５等から構成されている。操作部４３は、タッチパネル内蔵の液晶表示部（ＬＣＤ）によって構成される表示部４３ａを有している。
【００１７】
上記駅制御装置２は、全体を制御する制御部５１とデータ記憶用のメモリ５２と回線７を介して自動精算機３、…、自動券売機４、…と、自動改札機５、…と、自動定期券発売機６、…と接続される通信制御部５３と基幹ＬＡＮを介してホストコンピュータ１０と接続される通信制御部５４等から構成されている。
【００１８】
ホストコンピュータ１０には、顧客管理データベース１０ａが接続され、種々の顧客データが登録されるようになっている。
【００１９】
［第１の実施形態］
次に、第１の実施形態として、上記自動精算機３による精算処理について、図３に示すフローチャートを参照しつつ説明する。  
たとえば、図４に示すように、乗車区間が決まっている定期券（Ａ駅⇔Ｂ駅）によりその区間外の（Ｃ駅）で精算が行われ、定期券に精算情報が記録されて返却放出される際の処理を説明する。
【００２０】
まず、利用客により精算を行う定期券がカード挿入口（図示しない）から挿入され、この定期券の内容がカード処理部１７で読取られ、この読取結果が制御部１１に出力される（ＳＴ１）。制御部１１はその定期券の読取内容により精算金額（不足金）を判断する（ＳＴ２、３）。また、制御部１１は液晶表示部１３ａで、「精算金額は○○○円です、現金あるいはカードを投入して下さい」という案内を表示する（ＳＴ４）。
【００２１】
この案内に応じて、利用客が紙幣あるいは硬貨を投入する（ＳＴ５）。この紙幣あるいは硬貨の投入金額が現金処理部１６により鑑別され、鑑別されたこれらの紙幣、硬貨の投入金額を制御部１１に出力する。これにより、制御部１１はその投入金額から上記精算金額を差引いた釣銭金額を算出し（ＳＴ６）、液晶表示部１３ａで表示する（ＳＴ７）。このとき、現金処理部１６は釣銭がある場合には釣銭硬貨を放出する。
【００２２】
そして、制御部１１はカード処理部１７に対して、精算済み情報の記録を指示する。これにより、カード処理部１７により定期券に精算済み情報が記録され、この定期券がカード挿入口（図示しない）から排出される（ＳＴ８）。  
これにより、定期券を受け取った利用客は自動改札機５を介して出場する。この際、自動改札機５の制御部３４は読取り部（図示しない）により読取られた定期券の精算済み情報に基づいて、利用客の通過を許可する。
【００２３】
なお、ステップ３において、不足金が発生していない場合、制御部１１は定期券をカード挿入口（図示しない）から排出し、液晶表示部１３ａで「精算不要です」を表示する（ＳＴ９）。
【００２４】
次に、図５に示すように、残額が３００円のＳＦカードにより４００円の乗車区間（Ａ駅⇔Ｃ駅）での精算が行われ、ＳＦカードに精算情報が記録されて返却放出される際の処理を説明する。
【００２５】
まず、利用客により精算を行うＳＦカードがカード挿入口（図示しない）から挿入され、このＳＦカードの内容がカード処理部１７で読取られ、この読取結果が制御部１１に出力される（ＳＴ１）。制御部１１はそのＳＦカードの読取内容により精算金額を判断する（ＳＴ２、３）。また、制御部１１は液晶表示部１３ａで、「精算金額は○○○円です、現金あるいはカードを投入して下さい」という案内を表示する（ＳＴ４）。
【００２６】
この案内に応じて、利用客が紙幣あるいは硬貨を投入する（ＳＴ５）。この紙幣あるいは硬貨の投入金額が現金処理部１６により鑑別され、鑑別されたこれらの紙幣、硬貨の投入金額を制御部１１に出力する。これにより、制御部１１はその投入金額から上記精算金額を差引いた釣銭金額を算出し（ＳＴ６）、液晶表示部１３ａで表示する（ＳＴ７）。このとき、現金処理部１６は釣銭がある場合には釣銭硬貨を放出する。
【００２７】
そして、制御部１１はカード処理部１７に対して、精算済み情報の記録を指示する。これにより、カード処理部１７によりＳＦカードに精算済み情報が記録され、このＳＦカードがカード挿入口（図示しない）から排出される（ＳＴ８）。  
これにより、ＳＦカードを受け取った利用客は自動改札機５を介して出場する。この際、自動改札機５の制御部３４は読取り部（図示しない）により読取られたＳＦカードの精算済み情報に基づいて、利用客の通過を許可する。
【００２８】
なお、ステップ３において、精算金額が足りている場合、制御部１１はＳＦカードをカード挿入口（図示しない）から排出し、液晶表示部１３ａで「精算不要です」を表示する（ＳＴ９）。
【００２９】
上記したように、自動精算機により乗り越し精算を行う際に、ＳＦカード・定期券の利用時に精算済み情報（特殊コード・ビット）を書き込むことにより、精算券の発行は不要となり、乗車駅にて入場したＳＦカード・定期券を精算して、そのＳＦカード・定期券で出場する動作となり操作性が高まる。
【００３０】
また、ＳＦカード・定期券による乗り越し精算時に、精算券（ロール紙）の発行がなされないことにより資源の節約につながる。
【００３１】
さらに、ＳＦカード・定期券を利用した場合、精算券の発行を行わないことにより、精算券発行動作がなくなり、精算処理時間の短縮につながる。
【００３２】
［第２の実施形態］
次に、第２の実施形態として、上記自動券売機４による精算処理について、図６に示すフローチャートを参照しつつ説明する。  
たとえば、図７に示すように、乗車区間が決まっている定期券（Ｂ駅⇔Ｃ駅）によりその区間外の（Ａ駅）であらかじめＡ駅からＢ駅に対する精算が行われ、定期券に精算情報が記録されて返却放出される際の処理を説明する。
【００３３】
まず、利用客により精算を行う定期券がカード挿入口（図示しない）から挿入され、この定期券の内容がカード処理部２７で読取られ、この読取結果が制御部１１に出力される（ＳＴ１１）。制御部２１はその定期券の読取内容により精算金額（不足金）を判断する（ＳＴ１２、１３）。また、制御部２１は液晶表示部２３ａで、「精算金額は○○○円です、現金あるいはカードを投入して下さい」という案内を表示する（ＳＴ１４）。
【００３４】
この案内に応じて、利用客が紙幣あるいは硬貨を投入する（ＳＴ１５）。この紙幣あるいは硬貨の投入金額が現金処理部２６により鑑別され、鑑別されたこれらの紙幣、硬貨の投入金額を制御部２１に出力する。これにより、制御部２１はその投入金額から上記精算金額を差引いた釣銭金額を算出し（ＳＴ１６）、液晶表示部２３ａで表示する（ＳＴ１７）。このとき、現金処理部２６は釣銭がある場合には釣銭硬貨を放出する。
【００３５】
そして、制御部２１はカード処理部２７に対して、精算済み情報の記録を指示する。これにより、カード処理部２７により定期券に精算済み情報が記録され、この定期券がカード挿入口（図示しない）から排出される（ＳＴ１８）。  
これにより、定期券を受け取った利用客は自動改札機５を介して出場する。この際、自動改札機５の制御部３４は読取り部（図示しない）により読取られた定期券の精算済み情報に基づいて、利用客の通過を許可する。
【００３６】
なお、ステップ１３において、不足金が発生していない場合、制御部２１は定期券をカード挿入口（図示しない）から排出し、液晶表示部２３ａで「精算不要です」を表示する（ＳＴ１９）。
【００３７】
上記したように、自動券売機により定期券の区間の駅までの精算を行う際に、定期券に精算済み情報を書き込むことにより、乗車券の発行は不要となり、乗車券（ロール紙）の発行がなされないことにより資源の節約につながる。
【００３８】
さらに、乗車券の発行を行わないことにより、乗車券発行動作がなくなり、処理時間の短縮につながる。
【図面の簡単な説明】
【００３９】
【図１】この発明の実施形態の駅務システムの概略構成を示す図。
【図２】駅務システムの概略構成を示すブロック図。
【図３】自動精算機による精算処理を説明するためのフローチャート。
【図４】自動改札機による精算処理を説明するための図。
【図５】自動改札機による精算処理を説明するための図。
【図６】自動券売機による精算処理を説明するためのフローチャート。
【図７】自動券売機による精算処理を説明するための図。
【符号の説明】
【００４０】
１…駅制御装置、４…自動券売機、３…自動精算機、１３ａ…表示部。
【図１】
2005128944.tif 000003
【図２】
2005128944.tif 000004
【図３】
2005128944.tif 000005
【図４】
2005128944.tif 000006
【図５】
2005128944.tif 000007
【図６】
2005128944.tif 000008
【図７】
2005128944.tif 000009